(57)【要約】【課題】周辺が冠水しても装置本体内部の各種機器を浸水から保護する。【解決手段】発電所から変電所を経て送電される電気を変圧する受変電装置であって、キュービクル１全体を覆って気密性を有する保護部材２を設け、前記保護部材２の内容積を、予め想定された水位Ｈの冠水時に、前記保護部材２の下部から浸入した水１２による前記保護部材２内部の密封空気１３に対する圧縮力と該圧縮された空気の反発力とのバランスにより、前記保護部材２内部の浸水水位を許容値ｈ内に制限し得るように決定したものである。【選択図】図２
2012255322.tif 000002
【特許請求の範囲】
【請求項１】
発電所から変電所を経て送電される電気を変圧する受変電装置であって、
装置本体全体を覆って気密性を有する保護部材を設け、
前記保護部材の内容積を、予め想定された水位の冠水時に、前記保護部材の下部から浸入した水による前記保護部材内部の密封空気に対する圧縮力と該圧縮された空気の反発力とのバランスにより、前記保護部材内部の浸水水位を許容値内に制限し得るように決定したことを特徴とする受変電装置。
【請求項２】
前記保護部材には、その前面側に形成した開口を開閉する防水扉を設けたことを特徴とする請求項１記載の受変電装置。
【請求項３】
前記防水扉は、ＪＩＳ規格で規定されている、一時的に一定水圧の条件に水没しても内部に浸水することがない保護等級７級以上の防水性能を有することを特徴とする請求項２記載の受変電装置。
【発明の詳細な説明】
【技術分野】
【０００１】
本発明は、発電所から変電所を経て送電される電気を変圧する受変電装置に関し、特に周辺が冠水しても装置本体内部の各種機器を浸水から保護し得る受変電装置に係るものである。
【背景技術】
【０００２】
従来、この種の受変電装置は、金属筐体の屋根部を連結して離間して配置されたキュービクル式高圧受電設備の前面上部を覆う屋根部材と、キュービクル式高圧受電設備の側端部を夫々接続する一対の扉付き壁部材によって、メンテナンス用スペースを形成し、夜間や雨天でも容易に作業を行うことができるようになっていた（例えば、特許文献１参照）。
【先行技術文献】
【特許文献】
【０００３】
【特許文献１】特開２０１０−１７０１２号公報
【発明の概要】
【発明が解決しようとする課題】
【０００４】
しかし、このような従来の受変電装置においては、屋根部材によって、装置本体内部の各種機器を雨水から保護することはできるものの、洪水等によって周辺が冠水した場合には、装置本体内部への浸水を防止することができず、内部の各種機器を浸水から保護することができなかった。
【０００５】
そこで、本発明は、このような問題点に対処し、周辺が冠水しても装置本体内部の各種機器を浸水から保護し得る受変電装置を提供することを目的とする。
【課題を解決するための手段】
【０００６】
上記目的を達成するために、本発明による受変電装置は、発電所から変電所を経て送電される電気を変圧する受変電装置であって、装置本体全体を覆って気密性を有する保護部材を設け、前記保護部材の内容積を、予め想定された水位の冠水時に、前記保護部材の下部から浸入した水による前記保護部材内部の密封空気に対する圧縮力と該圧縮された空気の反発力とのバランスにより、前記保護部材内部の浸水水位を許容値内に制限し得るように決定したものである。
【０００７】
このような構成により、発電所から変電所を経て送電される電気を変圧する受変電装置本体全体を覆って設けた気密性を有する保護部材で、保護部材の下部から浸入した水による保護部材内部の密封空気に対する圧縮力と該圧縮された空気の反発力とのバランスにより、保護部材内部の浸水水位を許容値内に制限する。
【０００８】
また、前記保護部材には、その前面側に形成した開口を開閉する防水扉を設けたものである。これにより、保護部材に設けた防水扉で保護部材の前面側の開口を開閉する。
【０００９】
そして、前記防水扉は、ＪＩＳ規格で規定されている、一時的に一定水圧の条件に水没しても内部に浸水することがない保護等級７級以上の防水性能を有するものである。これにより、ＪＩＳ規格で規定されている保護等級７級以上の防水性能を有する防水扉で一時的に一定水圧の条件に水没しても内部に浸水するのを防止する。
【発明の効果】
【００１０】
請求項１に係る発明によれば、洪水等によって周辺が冠水しても、装置本体全体を覆った保護部材が気密性を有しているため、保護部材の下部から浸入した水によって保護部材内部の密封空気が圧縮され、この圧縮力と圧縮された空気の反発力とのバランスにより、保護部材内部の浸水水位を許容値内に制限することができる。したがって、装置本体内部の各種機器を浸水から保護することができる。これにより、従来は、個々の端子やスイッチ、又はメータ等は防水使用とする必要があったが、この発明によれば、制御盤の端子等は、露出させた状態で設けることができ、保守点検作業が容易になる。
【００１１】
また、請求項２に係る発明によれば、防水扉を開けた状態で、前面開口から装置本体内部の各種機器の点検、操作及びメンテナンスを容易に行うことができ、防水扉を閉じた状態で、防水して装置本体内部の各種機器を浸水から保護することができる。
【００１２】
さらに、請求項３に係る発明によれば、装置本体が水没しても防水扉から装置本体内部に浸水するのを防止することができる。
【図面の簡単な説明】
【００１３】
【図１】本発明による受変電装置の実施形態を示す図であり、（ａ）は防水扉を開いた状態の正面図、（ｂ）は防水扉を閉じた状態の側面図である。
【図２】本発明による受変電装置の防水原理について説明する断面側面図である。
【図３】冠水水位と浸水水位との関係を示す説明図である。
【発明を実施するための形態】
【００１４】
以下、本発明の実施形態を添付図面に基づいて詳細に説明する。図１は本発明による受変電装置の実施形態を示す図であり、（ａ）は防水扉を開いた状態の正面図、（ｂ）は防水扉を閉じた状態の側面図である。この受変電装置は、発電所から変電所を経て送電される電気を変圧するもので、キュービクル１と、保護部材２とを備えて成る。
【００１５】
上記キュービクル１は、筐体内部の図１に示す電気機器設置部３に区分開閉器、断路器、遮断器、変圧器、保護継電器、制御装置、計測機器、低圧配電設備等の各種機器を備えて構成したもので、受変電装置の装置本体を成すものであり、例えば屋外に設置されている。
【００１６】
詳細には、キュービクル１は、高さが約２０ｃｍの例えばコンクリート製の台座４の上に筐体の底面部をボルトで固定して設置されている。また、上記各種機器は、筐体の底面から約２０ｃｍ以上離れた上方の位置に設置されている。この場合、キュービクル１内部の浸水水位の許容限界は、最大約４０ｃｍとなる。さらに、キュービクル１は、筐体の前面に開閉扉５を設けて、機器の操作及び点検を容易に行うことができるようになっており、側壁６は、取り外し可能に形成されて上記機器の保守点検ができるようになっている。そして、筐体の背面には図示省略の側板が取り付けられ、上部には天板７が取り付けられている。
【００１７】
上記キュービクル１の全体を覆って保護部材２が設けられている。この保護部材２は、周辺が冠水した際に、キュービクル１内部への浸水により各種機器が水に浸かるのを防止するためのものであり、底面が開口したキャップ状の金属製又は合成樹脂製のもので、底面部以外からの空気の漏洩がない気密性を有した構造を成している。そして、底面開口側からキュービクル１に被せた状態で設けられ、下端部が例えばコンクリート基礎８に固定されている。
【００１８】
ここで、保護部材２は、キュービクル１の前面側に約１ｍ以上、両側面側に約０．６ｍ以上、背面及び天井側に約０．２ｍ以上の空間９が確保でき、且つ保護部材２の下部から浸入した水による保護部材２内部の密封空気に対する圧縮力と該圧縮された空気の反発力とのバランスにより、保護部材２内部への浸水水位を許容値内、例えば約４０ｃｍ以内に制限し得るように内容積が決定されている。
【００１９】
詳細には、保護部材２の内容積は、キュービクル１の設置場所の立地から想定した冠水水位と、浸水水位の許容値とに基づいて決定される。この場合、キュービクル１の周囲に上記空間９を確保できないときには、上記空間９を確保した上で、台座４の高さを高くするか又は電気機器設置部３の高さを上げて浸水水位の許容値を大きくするとよい。
【００２０】
上記保護部材２には、その前面側に開口１０が形成され、該開口１０を開閉する防水扉１１が設けられている。これにより、防水扉１１を開けた状態で、前面開口１０からキュービクル１内部の各種機器の点検、操作及びメンテナンスを容易に行うことができ、防水扉１１を閉じた状態で、防水してキュービクル１内部の各種機器を浸水から保護することができる。
【００２１】
この防水扉１１は、ＪＩＳ規格（JIS C 0920）で規定されている、一時的に一定水圧の条件に水没しても内部に浸水することがない保護等級７級以上の防水性能を有した防水構造を成している。
【００２２】
次に、このように構成された受変電装置の防水原理について説明する。
例えば、受変電装置の設置場所の周辺が洪水等により冠水すると、図２に示すように、水１２は保護部材２の下端部と設置面との間の隙間１３から矢印Ａ，Ｂ方向に保護部材２の内部に浸入する。
【００２３】
冠水水位の増加と共に、保護部材２内部の浸水水位も上昇して行く。この場合、保護部材２の下端部は、水面下に没しているため、保護部材２の内部の空気は密封状態となる。したがって、密封空気１３には、浸水水位の上昇に伴って図２に示す矢印Ｃ方向の圧縮力が作用する。逆に、浸水には、圧縮された密封空気１３により、同図に示す矢印Ｄ方向の水位を押し下げようとする反発力が作用する。
【００２４】
浸水初期は、圧縮された密封空気１３の反発力が小さいため、図３に示すように、冠水水位の上昇に伴って浸水水位は、上昇して行く。しかし、浸水水位の上昇に伴って圧縮された密封空気１３の反発力が増加するため、浸水が進むと同図に示すように浸水水位の上昇量は漸減する。そして、上記圧縮力と反発力とが略釣り合った位置で浸水は略停止する。この場合、保護部材２の内容積が、予め想定された水位Ｈの冠水時に、保護部材２の下部から浸入した水による保護部材２内部の密封空気１３に対する圧縮力と該圧縮された密封空気１３の反発力とのバランスにより、保護部材２内部への浸水水位を許容値ｈ内に制限し得るように決定されているので、浸水水位は許容値ｈ内となり、キュービクル１内の各種機器が水に浸かることがない。当然ながら、冠水水位に比べて上記浸水水位は低い。
【００２５】
このように、本実施形態によれば、洪水等によって周辺が冠水しても、キュービクル１全体を覆った保護部材２が気密性を有しているため、保護部材２の下部から浸入した水１２によって保護部材２内部の密封空気１３が圧縮され、この圧縮力と圧縮された密封空気１３の反発力とのバランスにより、保護部材２内部への浸水水位を許容値ｈ内に制限することができる。したがって、キュービクル１内部の各種機器を浸水から保護することができる。これにより、制御盤の端子等を露出させた状態で設けることができ、保守点検作業が容易になる。
【００２６】
なお、上記実施形態においては、保護部材２の前面側に防水扉１１を設けた場合について説明したが、本発明はこれに限られず、防止扉１１は無くてもよい。この場合、保護部材２を軽量な合成樹脂で形成し、下端部の開口からキュービクル１に被せた状態で下端部をコンクリート基礎８に着脱可能に取り付けるとよい。又は、昇降機構により保護部材２を昇降させてもよい。
【００２７】
また、上記実施形態においては、キュービクル１が屋外に設置されたものである場合について説明したが、本発明はこれに限られず、キュービクル１は屋内に設置されたものであってもよく、庭又は屋上のいずれに設置されたものであってもよい。
【符号の説明】
【００２８】
１…キュービクル（装置本体）
２…保護部材
１０…開口
１１…防水扉
１２…水
１３…密封空気
Ｈ…冠水時の想定水位
ｈ…浸水水位の許容値
【図１】
2012255322.tif 000003
【図２】
2012255322.tif 000004
【図３】
2012255322.tif 000005